(57)【要約】【課題】画像を鑑賞する際の利便性が向上するプロジェクタを提供する。【解決手段】プロジェクタは、リモコンから受信した操作信号にテレビを表す機器コードが含まれる場合には、メーカーコードに拘わらず操作信号に応じた動作を行うようになっている。このため、画像出力装置を遠隔操作するためのリモコンが、テレビを操作するための操作キーを備える場合には、ユーザは、このリモコンを用いてプロジェクタの動作を遠隔操作することができる。本実施形態では、リモコンの操作により、電源のオン・オフの切り換え、単一表示状態とマルチ表示状態との切り換え、アクティブ画像の切り換え、アクティブ画像の表示サイズの変更が可能になっている。【選択図】図１０
2009198543.tif 000002
【特許請求の範囲】
【請求項１】
外部の画像出力装置から入力される画像信号に基づく画像を投写するプロジェクタであって、
前記画像出力装置から前記画像信号が入力される画像信号入力部と、
光源から射出された光を前記画像信号に応じて変調して投写し、投写面に前記画像を表示する画像投写部と、
前記画像出力装置を遠隔操作するためのリモコンから発せられる操作信号を受信可能な受信部と、
前記受信部が受信した前記操作信号に基づいて当該プロジェクタの動作を制御する制御部と、
を備えたことを特徴とするプロジェクタ。
【請求項２】
請求項１に記載のプロジェクタであって、
前記制御部は、前記受信部が所定の操作信号を受信した場合に、前記光源の点灯及び消灯を切り換えることを特徴とするプロジェクタ。
【請求項３】
請求項１又は２に記載のプロジェクタであって、
前記画像信号入力部に複数の画像信号が入力されている場合に、前記画像投写部に表示させる画像を切り換える画像切換部をさらに備え、
前記制御部は、前記受信部が所定の操作信号を受信した場合に、前記画像切換部に前記画像の切り換えを行わせることを特徴とするプロジェクタ。
【請求項４】
請求項１〜３のいずれか１項に記載のプロジェクタであって、
前記画像信号入力部に複数の画像信号が入力されている場合に、前記複数の画像信号のそれぞれに基づく複数の画像を前記画像投写部に表示させて前記複数の画像の中から１つの画像を選択させるマルチ表示状態と、選択された前記画像を単独で前記画像投写部に表示させる単一表示状態と、を切り換える表示状態切換部をさらに備え、
前記制御部は、前記受信部が所定の操作信号を受信した場合に、前記表示状態切換部に表示状態の切り換えを行わせることを特徴とするプロジェクタ。
【請求項５】
請求項４に記載のプロジェクタであって、
前記画像信号入力部に複数の画像信号が入力され、前記画像投写部が前記複数の画像信号のそれぞれに基づく複数の画像を前記マルチ表示状態で表示している場合に、前記画像の表示サイズを変更する表示サイズ変更部をさらに備え、
前記制御部は、前記受信部が所定の操作信号を受信した場合に、前記表示サイズ変更部に前記表示サイズの変更を行わせることを特徴とするプロジェクタ。
【請求項６】
請求項１〜５のいずれか１項に記載のプロジェクタであって、
前記画像信号入力部に対する前記画像信号の入力の有無を検知する検知部をさらに備え、
前記制御部は、前記画像信号入力部に前記画像信号が入力されたことを前記検知部が検知した場合に、前記光源を点灯させることを特徴とするプロジェクタ。
【請求項７】
請求項６に記載のプロジェクタであって、
前記制御部は、前記画像信号入力部に対する前記画像信号の入力が途絶えたことを前記検知部が検知した場合に、前記光源を消灯させることを特徴とするプロジェクタ。
【請求項８】
請求項６又は７に記載のプロジェクタであって、
前記制御部は、前記画像信号入力部に複数の画像信号が入力されたことを前記検知部が検知した場合に、前記複数の画像信号のそれぞれに基づく複数の画像を前記画像投写部に表示させることを特徴とするプロジェクタ。
【発明の詳細な説明】
【技術分野】
【０００１】
本発明は、外部の画像出力装置から入力される画像信号に基づく画像を投写するプロジェクタに関する。
【背景技術】
【０００２】
近年、外部の画像出力装置（映像ソース）から入力される画像信号に基づく画像を投写するプロジェクタは、複数種類の入力端子を備えるようになっており、様々な映像ソースを接続可能になっている。プロジェクタに複数の映像ソースから画像信号が入力されている場合には、ユーザは、リモコン等を用いて、これら複数の映像ソースの中から所望の映像ソースを選択するための操作を行わなければならない。このため、このような操作を容易にするための提案が各種なされている（例えば、特許文献１参照）。
【０００３】
【特許文献１】特開２００６−２８５１６７号公報
【発明の開示】
【発明が解決しようとする課題】
【０００４】
しかしながら、プロジェクタで画像（映像）を鑑賞する際には、プロジェクタに対して電源のオン・オフ（光源の点灯・消灯）を指示するための操作や、上記のような映像ソースを選択するための操作を行う必要があるとともに、画像出力装置に対して映像の再生に関わる操作を行う必要がある。このため、ユーザは、画像出力装置を操作するためのリモコンとプロジェクタを操作するためのリモコンとを使い分けなければならず、利便性が損なわれていた。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクタは、外部の画像出力装置から入力される画像信号に基づく画像を投写するプロジェクタであって、前記画像出力装置から前記画像信号が入力される画像信号入力部と、光源から射出された光を前記画像信号に応じて変調して投写し、投写面に前記画像を表示する画像投写部と、前記画像出力装置を遠隔操作するためのリモコンから発せられる操作信号を受信可能な受信部と、前記受信部が受信した前記操作信号に基づいて当該プロジェクタの動作を制御する制御部と、を備えたことを特徴とする。
【０００７】
このプロジェクタによれば、画像出力装置を遠隔操作するためのリモコンから発せられる操作信号を受信部が受信し、制御部がこの操作信号に基づいてプロジェクタの動作を制御するため、１つのリモコンで画像出力装置とプロジェクタの双方の遠隔操作が可能となり、プロジェクタで画像を鑑賞する際の利便性が向上する。
【０００８】
［適用例２］上記適用例に係るプロジェクタにおいて、前記制御部は、前記受信部が所定の操作信号を受信した場合に、前記光源の点灯及び消灯を切り換えるようにしてもよい。
【０００９】
［適用例３］上記適用例に係るプロジェクタにおいて、前記画像信号入力部に複数の画像信号が入力されている場合に、前記画像投写部に表示させる画像を切り換える画像切換部をさらに備え、前記制御部は、前記受信部が所定の操作信号を受信した場合に、前記画像切換部に前記画像の切り換えを行わせるようにしてもよい。
【００１０】
［適用例４］上記適用例に係るプロジェクタにおいて、前記画像信号入力部に複数の画像信号が入力されている場合に、前記複数の画像信号のそれぞれに基づく複数の画像を前記画像投写部に表示させて前記複数の画像の中から１つの画像を選択させるマルチ表示状態と、選択された前記画像を単独で前記画像投写部に表示させる単一表示状態と、を切り換える表示状態切換部をさらに備え、前記制御部は、前記受信部が所定の操作信号を受信した場合に、前記表示状態切換部に表示状態の切り換えを行わせることが望ましい。
【００１１】
このプロジェクタによれば、マルチ表示状態に切り換えることによって複数の画像を表示させることができるため、ユーザは、鑑賞可能な状態にある画像を容易に認識することが可能となる。また、マルチ表示状態で表示されている複数の画像の中から、単一表示状態で表示すべき画像を選択することができるため、所望の画像を表示させる際の利便性が向上する。
【００１２】
［適用例５］上記適用例に係るプロジェクタにおいて、前記画像信号入力部に複数の画像信号が入力され、前記画像投写部が前記複数の画像信号のそれぞれに基づく複数の画像を前記マルチ表示状態で表示している場合に、前記画像の表示サイズを変更する表示サイズ変更部をさらに備え、前記制御部は、前記受信部が所定の操作信号を受信した場合に、前記表示サイズ変更部に前記表示サイズの変更を行わせるようにしてもよい。
【００１３】
［適用例６］上記適用例に係るプロジェクタにおいて、前記画像信号入力部に対する前記画像信号の入力の有無を検知する検知部をさらに備え、前記制御部は、前記画像信号入力部に前記画像信号が入力されたことを前記検知部が検知した場合に、前記光源を点灯させることが望ましい。
【００１４】
このプロジェクタによれば、画像信号入力部に画像信号が入力されると、制御部が光源を点灯させるため、ユーザはプロジェクタに対して光源を点灯するための操作を行う必要がなくなり、利便性がさらに向上する。
【００１５】
［適用例７］上記適用例に係るプロジェクタにおいて、前記制御部は、前記画像信号入力部に対する前記画像信号の入力が途絶えたことを前記検知部が検知した場合に、前記光源を消灯させることが望ましい。
【００１６】
このプロジェクタによれば、画像信号入力部に対する画像信号の入力が途絶えると、制御部が光源を消灯させるため、ユーザはプロジェクタに対して光源を消灯するための操作を行う必要がなくなり、利便性がさらに向上する。
【００１７】
［適用例８］上記適用例に係るプロジェクタにおいて、前記制御部は、前記画像信号入力部に複数の画像信号が入力されたことを前記検知部が検知した場合に、前記複数の画像信号のそれぞれに基づく複数の画像を前記画像投写部に表示させることが望ましい。
【００１８】
このプロジェクタによれば、画像信号入力部に複数の画像信号が入力されると、画像投写部がそれぞれの画像信号に基づく複数の画像を表示するため、ユーザは、鑑賞可能な状態にある複数の画像を容易に認識することが可能となる。
【発明を実施するための最良の形態】
【００１９】
以下、本実施形態のプロジェクタについて、図面を参照して説明する。本実施形態のプロジェクタは、光源から射出された光を、外部から入力される画像信号に応じて変調して画像光（画像）を形成し、この画像光をスクリーン等の投写面に拡大投写して、画像信号に応じた画像を表示するものである。
図１は、本実施形態のプロジェクタの概略構成を示すブロック図である。また、図２（ａ）〜（ｃ）、図３（ａ）〜（ｃ）、及び図４（ａ）〜（ｃ）は、本実施形態のプロジェクタが有する機能を説明するための説明図であり、投写面に表示される画像を示す図である。
【００２０】
図１に示すように、プロジェクタ１は、画像投写部１０、制御部２０、記憶部２１、入力操作部２２、操作信号受信部２３、画像信号入力部２４、画像信号検知部２６、画像処理部２７、電源回路２８、光源制御部２９等で構成されている。
【００２１】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像光を形成し、この画像光を投写レンズ１３から投写することによって投写面ＳＣに画像（投写画像Ｇｐ）を表示する。
【００２２】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、プロジェクタ１に入力される画像信号に応じた駆動電圧を各画素に印加すると、各画素は、画像信号に応じた光透過率に設定される。このため、光源１１から射出された光は、この液晶ライトバルブ１２Ｒ，１２Ｇ，１２Ｂを透過することによって変調され、画像信号に応じた画像光が色光毎に形成される。形成された各色の画像光は、図示しない色合成光学系によって画素毎に合成されてカラー画像を表す画像光となった後、投写レンズ１３によって投写面ＳＣ上に拡大投写される。
【００２４】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００２５】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００２６】
入力操作部２２は、ユーザからの入力操作を受け付けるものであり、ユーザがプロジェクタ１に対して各種指示を行うための複数の操作キーを備えている。入力操作部２２が備える操作キーとしては、電源のオン・オフを切り換えるための「電源キー」、表示対象とすべき映像ソースを順次切り換えるための入力切換キー等がある。ユーザが入力操作部２２の各種操作キーを操作すると、入力操作部２２は、ユーザの操作内容に応じた制御信号を制御部２０に出力する。
【００２７】
操作信号受信部２３は、リモコンから赤外線の点滅信号として送信される操作信号を受信して制御部２０に伝達するものであり、受光装置やデコーダ（いずれも図示せず）等で構成されている。操作信号受信部２３は、点滅信号を受光装置によって受光して電気信号に変換した後、デコーダによって復調して制御部２０に出力する。
【００２８】
画像信号入力部２４には、パーソナルコンピュータやＤＶＤ（Digital Versatile Disc）再生装置等、図示しない外部の画像出力装置（映像ソース）と接続するための複数（本実施形態では４つ）の入力端子２５（入力端子２５ａ〜２５ｄ）が備えられており、複数の画像出力装置から各種形式の画像信号を入力可能になっている。画像信号入力部２４は、入力された画像信号を画像処理部２７に出力する。
【００２９】
画像信号検知部２６は、画像信号入力部２４から画像処理部２７に向けて出力される画像信号を検出することにより、入力端子２５のそれぞれに画像信号が入力されているか否かを検知し、検知結果を制御部２０に出力する。
【００３０】
画像処理部２７は、画像信号入力部２４から入力される各種形式の画像信号に基づいて、液晶ライトバルブ１２Ｒ，１２Ｇ，１２Ｂの各画素の階調を表す画像情報を生成する。ここで、生成された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。さらに、画像処理部２７は、制御部２０の指示に基づき、生成した画像情報に対して、明るさ、コントラスト、シャープネス、色合い等を調整するための画質調整処理等を行う。
【００３１】
ここで、４つの入力端子２５のうち、１つの入力端子２５にのみ画像信号が入力されている場合、即ち１つの画像出力装置から１つの画像信号が入力されている場合には、画像処理部２７は、図２（ａ）に示すように、この画像信号に基づく画像（入力画像Ｇｉ）が画面（投写画像Ｇｐ）の略全体に単独で表示される状態（以降、「単一表示状態」という。）とすべく画像情報を生成する。
【００３２】
一方、複数の入力端子２５に画像信号が入力されている場合、即ち複数の画像出力装置から画像信号が入力されている場合には、画像処理部２７は、その中の１つの画像信号に基づく入力画像Ｇｉが画面の略全体に単独で表示される単一表示状態と、複数の画像信号にそれぞれ基づく複数の入力画像Ｇｉが１つ画面内に表示されるマルチ表示状態（図２（ｂ）、（ｃ）参照）とを制御部２０の指示に基づいて切り換え可能になっている。マルチ表示状態では、画像処理部２７は、縮小された複数の入力画像Ｇｉが所定のレイアウトで配列されるよう、生成した画像情報に縮小処理及び合成処理を施す。具体的には、４つのうち２つの入力端子２５に画像信号が入力されている場合には、画像処理部２７は、図２（ｂ）に示すように、縮小された２つの入力画像Ｇｉが左右に並んで表示されるように縮小処理及び合成処理を行い、３つ或いは４つの入力端子２５に画像信号が入力されている場合には、図２（ｃ）に示すように、１画面を４分割（上下左右に各２分割）した領域のそれぞれに各入力画像Ｇｉが表示されるように縮小処理及び合成処理を行う。なお、これ以降、図２（ｂ）に示すように、１画面に２つの入力画像Ｇｉが表示される状態を「２分割表示状態」とも表記し、図２（ｃ）に示すように、１画面に最大で４つの入力画像Ｇｉを表示可能な状態を「４分割表示状態」とも表記する。
【００３３】
また、マルチ表示状態では、画像処理部２７は、表示されている複数の入力画像Ｇｉのうち、制御部２０の指示に基づく１つの入力画像Ｇｉを強調すべく、この入力画像Ｇｉの周囲にＯＳＤ（オンスクリーンディスプレイ）画像からなる枠ＦＲ（図２（ｂ）、（ｃ）参照）を重畳する処理も行う。枠ＦＲは、複数の入力画像Ｇｉうち１つの有効な入力画像Ｇｉ（以降、「アクティブ画像Ｇａ」ともいう。）を明示するためのものであり、マルチ表示状態から単一表示状態に切り換える際には、アクティブ画像Ｇａが略全画面に表示される。言い換えれば、単一表示状態では、アクティブ画像Ｇａのみが略全画面に表示され、マルチ表示状態では、アクティブ画像Ｇａにのみ枠ＦＲが付された状態で、複数の入力画像Ｇｉが表示される。なお、マルチ表示状態において、アクティブ画像Ｇａのみを動画像で表示し、他の入力画像Ｇｉを静止画像で表示することにより、画像処理部２７等に掛かる負荷を軽減するようにしてもよい。
【００３４】
さらに、図３（ａ）〜（ｃ）及び図４（ａ）〜（ｃ）に示すように、画像処理部２７は、マルチ表示状態においてアクティブ画像Ｇａの表示サイズを複数段階で拡大可能になっており、制御部２０の指示に基づいて、アクティブ画像Ｇａを拡大させるとともに、他の入力画像Ｇｉを縮小させる処理を行うことができる。
【００３５】
図１に戻って、画像処理部２７で各種画像処理が施された画像情報は、ライトバルブ駆動部１４に出力される。
【００３６】
ライトバルブ駆動部１４が、画像処理部２７から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像光を形成し、この画像光が投写レンズ１３から投写され、投写面ＳＣに投写画像Ｇｐが表示される。
【００３７】
電源回路２８には、外部からＡＣ１００Ｖ等の商用電源が供給される。電源回路２８は、商用電源（交流電源）を所定の電圧の直流電源に変換するとともに、プロジェクタ１の各部に電力を供給する。なお、制御部２０は、電源回路２８から電力の供給を受けて動作している間、電源回路２８に指示をして、画像の投写に必要な電力（動作電力）の供給と停止とを切り換えることができる。
【００３８】
光源制御部２９は、制御部２０の指示に基づいて、光源１１に対する電力の供給と停止とを制御し、光源１１の点灯及び消灯を切り換える。
【００３９】
次に、プロジェクタ１の動作について説明する。
プロジェクタ１に商用電源が供給されると、電源回路２８は、制御部２０、記憶部２１、入力操作部２２、操作信号受信部２３、画像信号検知部２６に電力（スタンバイ電力）の供給を行い、制御部２０は、この電力供給を受けて、制御プログラムに従った動作を開始する。商用電源が供給された直後には、プロジェクタ１は、スタンバイ状態（「電源オフ状態」ともいう。）であり、この状態では、制御部２０は、入力操作部２２の電源キーに対する操作（オン操作）等を監視する。この状態でユーザが電源キーを操作すると、プロジェクタ１の各部には動作電力が供給され、画像の投写が可能な状態（以降、「電源オン状態」ともいう。）に移行する。
【００４０】
また、本実施形態では、電源キーを操作する以外にも、画像信号入力部２４、即ち入力端子２５のいずれかに画像信号を入力することによっても、スタンバイ状態から電源オン状態に移行可能になっている。
【００４１】
図５は、画像信号が入力された際のプロジェクタ１の動作を説明するためのフローチャートである。画像信号入力部２４に画像信号が入力され、画像信号検知部２６がその入力を検知すると、制御部２０は、図５に示すフローに従って動作する。
【００４２】
図５に示すように、ステップＳ１０１では、制御部２０は、プロジェクタ１がスタンバイ状態であるか否かを判断する。そして、スタンバイ状態の場合にはステップＳ１０２に移行し、電源オン状態の場合にはステップＳ１０４に移行する。なお、プロジェクタ１の各種状態、即ちスタンバイ状態や電源オン状態、或いは電源オン状態における単一表示状態やマルチ表示状態等は、制御部２０のＲＡＭに記憶されているフラグを参照することによって識別可能になっており、制御部２０は、各種状態を切り換える度にフラグの内容を更新する。
【００４３】
プロジェクタ１がスタンバイ状態であってステップＳ１０２に移行した場合、即ちスタンバイ状態で画像信号が入力された場合には、制御部２０は、プロジェクタ１を電源オン状態に移行させる。具体的には、制御部２０は、電源回路２８に指示をして各部に動作電力の供給を開始させ、その後、光源制御部２９に指示をして光源１１を点灯させる等の必要な初期動作を行う。
【００４４】
続くステップＳ１０３では、制御部２０は、画像処理部２７に指示をして、入力された画像信号に基づく入力画像Ｇｉを単一表示状態で表示させて、フローを終了する。この結果、入力端子２５に入力される画像信号に基づく入力画像Ｇｉが画像投写部１０から単一表示状態で投写される。
【００４５】
ステップＳ１０１において、電源オン状態で画像信号が入力されてステップＳ１０４に移行した場合には、制御部２０は、画像信号検知部２６の検知結果に基づいて、既に他の入力端子２５に画像信号が入力されている状態であるか否かを判断する。そして、他の入力端子２５に画像信号が入力されていない場合（例えば、画像信号が入力されていない状態で電源キーが操作されて電源オン状態に移行している場合等）には、ステップＳ１０３に移行して、画像投写部１０から単一表示状態で入力画像Ｇｉを投写させる。一方、既に他の入力端子２５に画像信号が入力されている場合、即ち新たに画像信号が入力された入力端子２５を含めて複数の入力端子２５に画像信号が入力されている場合には、ステップＳ１０５に移行する。
【００４６】
ステップＳ１０５では、制御部２０は、画像処理部２７に指示をして、入力されている複数の画像信号にそれぞれ基づく複数の入力画像Ｇｉをマルチ表示状態で表示させて、フローを終了する。この結果、各画像信号に基づく複数の入力画像Ｇｉがマルチ表示状態で画像投写部１０から投写される。
【００４７】
また、プロジェクタ１は、電源オン状態において入力操作部２２の電源キーを操作することによりスタンバイ状態に移行可能であるとともに、画像信号入力部２４（入力端子２５）に対するすべての画像信号の入力を断つことによっても、スタンバイ状態に移行可能になっている。
【００４８】
図６は、電源オン状態において画像信号の入力が断たれた際のプロジェクタ１の動作を説明するためのフローチャートである。いずれか１つの入力端子２５に対する画像信号の入力が途絶え、画像信号検知部２６がそれを検知すると、制御部２０は、図６に示すフローに従って動作する。
【００４９】
図６に示すように、ステップＳ１１１では、制御部２０は、画像信号検知部２６の検知結果に基づいて、他の入力端子２５、即ち画像信号の入力が途絶えた入力端子２５以外のいずれかの入力端子２５に画像信号が入力されている状態であるか否かを判断する。そして、いずれの入力端子２５にも画像信号が入力されていない場合にはステップＳ１１２に移行し、いずれかの入力端子２５に画像信号が入力されている場合にはステップＳ１１３に移行する。
【００５０】
いずれの入力端子２５にも画像信号が入力されておらずステップＳ１１２に移行した場合には、制御部２０は、プロジェクタ１をスタンバイ状態に移行させる。具体的には、制御部２０は、光源制御部２９に指示をして光源１１を消灯させる等の必要な終了動作を行い、その後、電源回路２８に指示をして各部への動作電力の供給を停止させ、フローを終了する。
【００５１】
一方、いずれかの入力端子２５に画像信号が入力されていてステップＳ１１３に移行した場合には、制御部２０は、画像信号検知部２６の検知結果に基づいて、画像信号が入力されている入力端子２５が１つであるか複数であるかを判断する。そして、１つの入力端子２５にのみ画像信号が入力されている場合にはステップＳ１１４に移行し、複数の入力端子２５に画像信号が入力されている場合にはステップＳ１１５に移行する。
【００５２】
１つの入力端子２５にのみ画像信号が入力されていてステップＳ１１４に移行した場合には、制御部２０は、画像処理部２７に指示をして、この画像信号に基づく入力画像Ｇｉを単一表示状態で表示させて、フローを終了する。この結果、この画像信号に基づく入力画像Ｇｉが単一表示状態で画像投写部１０から投写される。
【００５３】
一方、複数の入力端子２５に画像信号が入力されていてステップＳ１１５に移行した場合には、制御部２０は、それまでの表示状態（単一表示状態又はマルチ表示状態）を維持したままフローを終了する。つまり、画像信号の入力が途絶える直前に単一表示状態で入力画像Ｇｉが表示されていた場合には、これ以降も単一表示状態を維持する。ただし、それまで表示させていた入力画像Ｇｉの画像信号が途絶えた場合には、制御部２０は、画像処理部２７に指示をして、他の入力端子２５からの入力画像Ｇｉを単一表示状態で表示させる。また、画像信号の入力が途絶える直前にマルチ表示状態で入力画像Ｇｉが表示されていた場合には、これ以降もマルチ表示状態を維持する。ただし、画像信号が入力されている入力端子２５が３つから２つになった場合には、制御部２０は、画像処理部２７に指示をして、４分割表示状態から２分割表示状態に切り換えさせる。
【００５４】
次に、リモコンを用いたプロジェクタ１の遠隔操作について説明する。
本実施形態のプロジェクタ１は、画像出力装置（例えば、ＤＶＤ再生装置）を遠隔操作するためのリモコンを用いて様々な指示を行うことが可能になっている。
【００５５】
図７は、ＤＶＤ再生装置のリモコンを示す平面図である。
図７に示すように、リモコン４０は、筐体４０ａで覆われた構成を有しており、その表面には、多数の操作キーを備えている。リモコン４０が備える操作キーとしては、ＤＶＤ再生装置の電源のオン・オフを切り換えるための電源キー４１、ＤＶＤメディアを出し入れするためのディスクトレイ開閉キー４２、数字を入力するための数字キー４３、ＤＶＤの再生を開始するための再生キー４４等、様々な操作キーが含まれている。また、リモコン４０は、ＤＶＤ再生装置の再生画像を表示するためのテレビをも遠隔操作可能になっており、テレビの電源のオン・オフを切り換えるためのテレビ電源キー４５、テレビで表示すべき映像ソースを順次切り換えるための入力切換キー４６、テレビのチャンネルを変更するためのチャンネルキー４７（チャンネルを順方向に切り換えるための次チャンネルキー４７ａ、及びチャンネルを逆方向に切り換えるための前チャンネルキー４７ｂ）、テレビから出力される音声の音量を調整するための音量キー４８（音量を大きくするための音量アップキー４８ａ、及び音量を小さくするための音量ダウンキー４８ｂ）を備えている。ユーザによりこれらの操作キーが操作されると、リモコン４０は、操作された操作キーに対応する操作信号ＲＳを送信する。
【００５６】
図８は、リモコン４０の回路構成を示すブロック図であり、図９は、操作信号ＲＳの構成を説明するための説明図である。
図８に示すように、リモコン４０は、制御部６０、記憶部６１、キー検出部６２、送信部６３等を備えて構成されている。
【００５７】
制御部６０は、ＣＰＵ等からなり、記憶部６１に記憶されている制御プログラムに従って動作することによりリモコン４０の動作を統括制御する。記憶部６１は、不揮発性のメモリにより構成され、リモコン４０の動作を制御するための制御プログラム等を記憶する。
【００５８】
キー検出部６２は、各操作キーが押下（操作）されたことを検出して、押下された操作キーに応じた検出信号を制御部６０に出力する。制御部６０は、キー検出部６２から検出信号が入力されると、入力された検出信号、即ち操作された操作キーに対応する操作信号ＲＳを生成して、送信部６３に出力する。
【００５９】
ここで、図９に示すように、操作信号ＲＳは、信号の先頭を表すリーダ部Ｒ１と、操作対象となる機器のメーカーを特定するためのメーカー識別部Ｒ２と、操作対象となる機器の種別（ＤＶＤ再生装置、テレビ等）を特定するための機器識別部Ｒ３と、操作された操作キーに応じたデータコードが格納されるデータ部Ｒ４と、信号の終了を表すトレーラ部Ｒ５とを含んで構成されている。制御部６０は、ＤＶＤ再生装置を操作するための操作キー、即ちテレビを操作するため操作キー４５〜４８以外の操作キーが操作された場合には、ＤＶＤ再生装置のメーカーを表すメーカーコードをメーカー識別部Ｒ２に格納し、ＤＶＤ再生装置を表す機器コードを機器識別部Ｒ３に格納する。一方、テレビを操作するための操作キー４５〜４８が操作された場合には、制御部６０は、テレビのメーカーを表すメーカーコードをメーカー識別部Ｒ２に格納し、テレビを表す機器コードを機器識別部Ｒ３に格納する。なお、テレビのメーカーを表すメーカーコードは、ユーザがリモコン４０に対して所定の操作を行うことによって任意のメーカーコードに設定可能になっている。
【００６０】
また、記憶部６１には、キー検出部６２から入力される検出信号と、データ部Ｒ４に格納すべきデータコードとを対応付けた対応テーブル（図示せず）が記憶されており、操作キーが操作されると、制御部６０は、この対応テーブルを参照してデータコードを定め、このデータコードをデータ部Ｒ４に格納する。なお、テレビのメーカーによってデータコードが異なる場合には、テレビのメーカー別に複数の対応テーブルを記憶部６１に記憶させておき、設定されているメーカーコードに応じた対応テーブルを参照して、格納するデータコードを定めればよい。
【００６１】
図８に戻って、送信部６３は、赤外線通信用のエンコーダや赤外線発光装置（いずれも図示せず）等で構成され、制御部６０から入力される操作信号ＲＳをエンコーダで変調し、赤外線発光装置により赤外線の点滅信号として外部に送信する。
【００６２】
リモコン４０が発した操作信号ＲＳを、プロジェクタ１の操作信号受信部２３が受信すると、プロジェクタ１の制御部２０は、この操作信号ＲＳに基づいてプロジェクタ１の動作を制御する。通常、リモコンによる遠隔操作が可能な電子機器は、リモコンからの操作信号を受信すると、その操作信号に含まれるメーカーコードと機器コードとを参照して自己に対する命令（信号）であるか否かを判断するようになっているが、本実施形態のプロジェクタ１の制御部２０は、操作信号ＲＳに含まれる機器コードがテレビを表す場合には、メーカーコードに拘わらず操作信号ＲＳに応じた動作を行うようになっている。なお、テレビのメーカーによってデータコードが異なる場合には、各メーカー別に複数の対応テーブルを記憶部２１に記憶させておき、操作信号ＲＳに含まれるメーカーコードに応じた対応テーブルを参照して、データコードが表す制御内容（操作された操作キー）を認識するようにすればよい。
【００６３】
ここで、本実施形態のプロジェクタ１は、ユーザによりリモコン４０のテレビ電源キー４５が操作されると、プロジェクタ１の電源のオン・オフを切り換えるようになっている。また、複数の入力端子２５に画像信号が入力されている状態で、リモコン４０の入力切換キー４６が操作された場合には、単一表示状態とマルチ表示状態とを切り換え、チャンネルキー４７が操作された場合には、アクティブ画像Ｇａを切り換える。さらに、マルチ表示状態において音量キー４８が操作された場合には、アクティブ画像Ｇａの表示サイズを変更するようになっている。
【００６４】
図１０は、リモコン４０から操作信号ＲＳを受信した場合のプロジェクタ１の動作を説明するためのフローチャートである。プロジェクタ１の操作信号受信部２３が操作信号ＲＳを受信し、この操作信号ＲＳに含まれる機器コードがテレビを表す場合には、制御部２０は、図１０に示すフローに従って動作する。
【００６５】
図１０に示すように、まず、ステップＳ１２１では、制御部２０は、プロジェクタ１がスタンバイ状態であるか否かを判断する。そして、スタンバイ状態の場合にはステップＳ１２２に移行し、電源オン状態の場合にはステップＳ１２５に移行する。
【００６６】
プロジェクタ１がスタンバイ状態であってステップＳ１２２に移行した場合には、制御部２０は、操作信号ＲＳに含まれるデータコードに基づいて、操作された操作キーがテレビ電源キー４５であるか否かを判断する。そして、テレビ電源キー４５である場合にはステップＳ１２３に移行し、それ以外の操作キーである場合には、フローを終了する。つまり、スタンバイ状態では、テレビ電源キー４５のみが受け付けられる。
【００６７】
スタンバイ状態でテレビ電源キー４５が操作されてステップＳ１２３に移行した場合には、制御部２０は、プロジェクタ１を電源オン状態に移行させる。具体的には、制御部２０は、電源回路２８に指示をして各部に動作電力の供給を開始させ、その後、光源制御部２９に指示をして光源１１を点灯させる等の必要な初期動作を行う。
【００６８】
続くステップＳ１２４では、制御部２０は、画像処理部２７に指示をして画像信号に基づく入力画像Ｇｉを表示させ、フローを終了する。なお、１つの入力端子２５にのみ画像信号が入力されている場合には単一表示状態で入力画像Ｇｉを表示させ、複数の入力端子２５に画像信号が入力されている場合にはマルチ表示状態で複数の入力画像Ｇｉを表示させる。
【００６９】
一方、ステップＳ１２１においてプロジェクタ１が電源オン状態であり、ステップＳ１２５に移行した場合には、制御部２０は、操作信号ＲＳに含まれるデータコードに基づいて、操作された操作キーがテレビ電源キー４５であるか否かを判断する。そして、テレビ電源キー４５である場合にはステップＳ１２６に移行し、それ以外の操作キーである場合には、ステップＳ１２７に移行する。
【００７０】
電源オン状態でテレビ電源キー４５が操作されてステップＳ１２６に移行した場合には、制御部２０は、プロジェクタ１をスタンバイ状態に移行させる。具体的には、制御部２０は、光源制御部２９に指示をして光源１１を消灯させる等の必要な終了動作を行い、その後、電源回路２８に指示をして各部への動作電力の供給を停止させ、フローを終了する。
【００７１】
ステップＳ１２５において、操作された操作キーがテレビ電源キー４５ではなくステップＳ１２７に移行した場合には、制御部２０は、操作された操作キーが入力切換キー４６であるか否かを判断する。そして、入力切換キー４６である場合にはステップＳ１２８に移行し、入力切換キー４６でない場合にはステップＳ１３２に移行する。
【００７２】
入力切換キー４６が操作されてステップＳ１２８に移行した場合には、制御部２０は、画像信号検知部２６の検知結果に基づいて、複数の入力端子２５に画像信号が入力されている状態であるか否かを判断する。そして、複数の入力端子２５に画像信号が入力されている状態であればステップＳ１２９に移行し、１つの入力端子２５にのみ画像信号が入力されている状態であればフローを終了する。
【００７３】
複数の入力端子２５に画像信号が入力されていてステップＳ１２９に移行した場合には、制御部２０は、現在の表示状態がマルチ表示状態であるか単一表示状態であるかを判断する。そして、マルチ表示状態である場合にはステップＳ１３０に移行し、単一表示状態である場合にはステップＳ１３１に移行する。
【００７４】
マルチ表示状態で入力切換キー４６が操作されてステップＳ１３０に移行した場合には、制御部２０は、画像処理部２７に指示をして、表示されている複数の入力画像Ｇｉのうち、アクティブ画像Ｇａを単一表示状態で表示させ、フローを終了する。
【００７５】
一方、単一表示状態で入力切換キー４６が操作されてステップＳ１３１に移行した場合には、制御部２０は、画像処理部２７に指示をして、入力端子２５に入力されている画像信号に基づく複数の入力画像Ｇｉをマルチ表示状態で表示させ、フローを終了する。
【００７６】
ステップＳ１２７において、操作された操作キーが入力切換キー４６ではなくステップＳ１３２に移行した場合には、制御部２０は、操作された操作キーがチャンネルキー４７であるか否かを判断する。そして、チャンネルキー４７である場合にはステップＳ１３３に移行し、チャンネルキー４７でない場合にはステップＳ１３５に移行する。
【００７７】
チャンネルキー４７が操作されてステップＳ１３３に移行した場合には、制御部２０は、画像信号検知部２６の検知結果に基づいて、複数の入力端子２５に画像信号が入力されている状態であるか否かを判断する。そして、複数の入力端子２５に画像信号が入力されている状態であればステップＳ１３４に移行し、１つの入力端子２５にのみ画像信号が入力されている状態であればフローを終了する。
【００７８】
複数の入力端子２５に画像信号が入力されていてステップＳ１３４に移行した場合には、制御部２０は、画像処理部２７に指示をしてアクティブ画像Ｇａを切り換えさせ、フローを終了する。具体的には、単一表示状態でチャンネルキー４７が操作された場合には、制御部２０は、それまで表示していた入力画像Ｇｉとは異なる入力画像Ｇｉを画面の略全面に表示させ、マルチ表示状態でチャンネルキー４７が操作された場合には、それまで枠ＦＲが付されていた入力画像Ｇｉとは異なる入力画像Ｇｉに枠ＦＲを付させる。
【００７９】
ここで、２つの入力端子２５に画像信号が入力されている場合には、制御部２０は、次チャンネルキー４７ａと前チャンネルキー４７ｂのいずれが操作された場合でも、他方の入力画像Ｇｉ、即ちそれまでアクティブ画像Ｇａではなかった方の入力画像Ｇｉをアクティブ画像Ｇａとする。また、３つ又は４つの入力端子２５に画像信号が入力されている場合には、制御部２０は、次チャンネルキー４７ａが操作された場合には所定の順序（例えば、…→入力端子２５ａ→入力端子２５ｂ→入力端子２５ｃ→入力端子２５ｄ→入力端子２５ａ→…の順）に従って次の入力端子２５からの入力画像Ｇｉをアクティブ画像Ｇａとし、前チャンネルキー４７ｂが操作された場合にはその反対順で次の入力端子２５からの入力画像Ｇｉをアクティブ画像Ｇａとする。なお、次の入力端子２５に画像信号が入力されていない場合には、この入力端子２５をスキップして、さらに次の入力端子２５からの入力画像Ｇｉをアクティブ画像Ｇａとする。
【００８０】
ステップＳ１３２において、操作された操作キーがチャンネルキー４７ではなくステップＳ１３５に移行した場合には、制御部２０は、操作された操作キーが音量キー４８であるか否かを判断する。そして、音量キー４８である場合にはステップＳ１３６に移行し、音量キー４８でない場合にはフローを終了する。
【００８１】
音量キー４８が操作されてステップＳ１３６に移行した場合には、制御部２０は、現在の表示状態がマルチ表示状態であるか単一表示状態であるかを判断する。そして、マルチ表示状態である場合にはステップＳ１３７に移行し、単一表示状態である場合にはフローを終了する。
【００８２】
マルチ表示状態で音量キー４８が操作されてステップＳ１３７に移行した場合には、制御部２０は、画像処理部２７に指示をしてアクティブ画像Ｇａの表示サイズを変更してフローを終了する。具体的には、音量アップキー４８ａが操作された場合には、アクティブ画像Ｇａの表示サイズを一段階大きくし、音量ダウンキー４８ｂが操作された場合には、アクティブ画像Ｇａの表示サイズを一段階小さくする（元に戻す）。なお、すべての入力画像Ｇｉが同じ表示サイズで表示されている状態（図３（ａ）及び図４（ａ）参照）で音量ダウンキー４８ｂが操作された場合、及びアクティブ画像Ｇａが最大の表示サイズで表示されている状態（図３（ｃ）及び図４（ｃ）参照）で音量アップキー４８ａが操作された場合には、表示サイズの変更は行わずにフローを終了する。
【００８３】
以上説明したように、本実施形態のプロジェクタ１によれば、以下の効果を得ることができる。
【００８４】
（１）本実施形態のプロジェクタ１によれば、画像出力装置を遠隔操作するためのリモコン４０から発せられる操作信号ＲＳを操作信号受信部２３が受信すると、制御部２０がこの操作信号ＲＳに基づいてプロジェクタ１の動作を制御するようになっている。具体的には、電源のオン・オフの切り換え、映像ソースの切り換え、単一表示状態とマルチ表示状態の切り換え、及びマルチ表示状態における表示サイズの変更をリモコン４０を用いて行うことができる。このため、１つのリモコン４０で画像出力装置とプロジェクタ１の双方の遠隔操作が可能となり、プロジェクタ１で画像を鑑賞する際の利便性が向上する。
【００８５】
（２）本実施形態のプロジェクタ１によれば、画像信号入力部２４（入力端子２５）に画像信号が入力され、画像信号検知部２６がこれを検知すると、制御部２０がプロジェクタ１を電源オン状態（光源１１が点灯する状態）に移行させるため、ユーザはプロジェクタ１に対して電源オン状態に移行させるための操作を行う必要がなくなり、利便性がさらに向上する。
【００８６】
（３）本実施形態のプロジェクタ１によれば、画像信号入力部２４（入力端子２５）に対する画像信号の入力が途絶え、画像信号検知部２６がこれを検知すると、制御部２０がプロジェクタ１をスタンバイ状態（光源が消灯する状態）に移行させるため、ユーザはプロジェクタ１に対してスタンバイ状態に移行させるための操作を行う必要がなくなり、利便性がさらに向上する。
【００８７】
（４）本実施形態のプロジェクタ１によれば、画像信号入力部２４（入力端子２５）に複数の画像信号が入力され、画像信号検知部２６がこれを検知すると、各画像信号に基づく複数の入力画像Ｇｉが表示されるマルチ表示状態となるため、ユーザは、鑑賞可能な状態にある入力画像Ｇｉを容易に認識することが可能となる。
【００８８】
（５）本実施形態のプロジェクタ１によれば、マルチ表示状態において、チャンネルキー４７の操作によってアクティブ画像Ｇａ（枠ＦＲが付されている入力画像Ｇｉ）が切り換わり、入力切換キー４６の操作によって単一表示状態に切り換わる。つまり、複数の入力画像Ｇｉをマルチ表示状態で表示させて鑑賞可能な状態にある入力画像Ｇｉを認識した後、その中から所望の入力画像Ｇｉを選択して単一表示状態で表示させることができるため、所望の入力画像Ｇｉを表示させる際の利便性が向上する。
【００８９】
なお、本実施形態では、操作信号受信部２３が受信部に相当し、画像信号検知部２６が検知部に相当する。また、単一表示状態でチャンネルキー４７が操作されて、表示する入力画像Ｇｉを切り換える際の画像処理部２７が画像切換部に相当し、入力切換キー４６が操作されてマルチ表示状態と単一表示状態とを切り換える際の画像処理部２７が表示状態切換部に相当し、マルチ表示状態で音量キー４８が操作されて、アクティブ画像Ｇａの表示サイズを変更する際の画像処理部２７が表示サイズ変更部に相当する。
【００９０】
（変形例）
また、前記実施形態は、以下のように変更してもよい。
【００９１】
前記実施形態では、リモコン４０のテレビ電源キー４５を操作することによってプロジェクタ１の電源のオン・オフを切り換え可能になっているが、使用環境や設定状況等により、不用意にテレビの電源のオン・オフが切り換わることがないよう、リモコン４０のテレビ電源キー４５によるプロジェクタ１の電源操作を無効にしてもよい。この場合には、画像信号の入力の有無によって電源のオン・オフを切り換えればよい。
【００９２】
前記実施形態では、メーカーコードに拘わらず、受信した操作信号ＲＳに基づく動作を行うようになっているが、特定のメーカーコードを含んだ操作信号ＲＳを受信した場合にのみ動作するようにしてもよい。また、ユーザの使用環境等に応じて、メーカーコードに拘わらずに動作する状態と、特定のメーカーコードの場合にのみ動作する状態とを切り換え可能な構成にすることも可能である。
また、操作信号ＲＳに含まれるメーカーコードに応じて異なる動作を行わせるようにしてもよい。これによれば、複数の画像出力装置がプロジェクタ１に接続されている場合に、各画像出力装置のリモコン４０毎に異なるメーカーコードを設定することにより、操作するリモコン４０に応じた動作を行わせることが可能となる。
【００９３】
前記実施形態では、リモコン４０に備わる操作キーのうち、テレビを操作するための操作キー４５〜４８が操作された場合に、その操作に応じてプロジェクタ１が動作する構成を示しているが、この態様に限定されない。例えば、画像出力装置（ＤＶＤ再生装置）を操作するための複数の操作キーが所定の組合せ（画像出力装置に対しては無効な組合せ）で操作された場合に、プロジェクタ１が動作するようにしてもよい。
【００９４】
前記実施形態では、マルチ表示状態において、複数の画像が並んで表示される態様を示しているが、この態様に限定されない。例えば、図１１に示すように、アクティブ画像Ｇａを画面の略全面に表示して、他の入力画像Ｇｉをアクティブ画像Ｇａの内部に重畳させるようにすることも可能である。
【００９５】
前記実施形態では、光変調装置として３つの液晶ライトバルブ１２Ｒ，１２Ｇ，１２Ｂを用いた３板式のプロジェクタについて説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００９６】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源１１から射出した光を変調する微小ミラーアレイデバイス等を用いることもできる。
【００９７】
前記実施形態では、光源１１は、放電型の光源ランプ１１ａによって構成されているが、ＬＥＤ光源等の固体光源や、その他の光源を用いることもできる。
【図面の簡単な説明】
【００９８】
【図１】プロジェクタの概略構成を示すブロック図。
【図２】（ａ）〜（ｃ）は、プロジェクタが有する機能を説明するための説明図であり、投写面に表示される画像を示す図。
【図３】（ａ）〜（ｃ）は、プロジェクタが有する機能を説明するための説明図であり、投写面に表示される画像を示す図。
【図４】（ａ）〜（ｃ）は、プロジェクタが有する機能を説明するための説明図であり、投写面に表示される画像を示す図。
【図５】画像信号が入力された際のプロジェクタの動作を説明するためのフローチャート。
【図６】電源オン状態において画像信号の入力が断たれた際のプロジェクタの動作を説明するためのフローチャート。
【図７】ＤＶＤ再生装置のリモコンを示す平面図。
【図８】リモコンの回路構成を示すブロック図。
【図９】操作信号の構成を説明するための説明図。
【図１０】リモコンから操作信号を受信した場合のプロジェクタの動作を説明するためのフローチャート。
【図１１】変形例に係るプロジェクタが有する機能を説明するための説明図であり、投写面に表示される画像を示す図。
【符号の説明】
【００９９】
１…プロジェクタ、１０…画像投写部、１１…光源、１２Ｒ，１２Ｇ，１２Ｂ…液晶ライトバルブ、１３…投写レンズ、１４…ライトバルブ駆動部、２０…制御部、２１…記憶部、２２…入力操作部、２３…操作信号受信部、２４…画像信号入力部、２５…入力端子、２５ａ〜２５ｄ…入力端子、２６…画像信号検知部、２７…画像処理部、２８…電源回路、２９…光源制御部、４０…リモコン、４５…テレビ電源キー、４６…入力切換キー、４７…チャンネルキー、４８…音量キー、６０…制御部、６１…記憶部、６２…キー検出部、６３…送信部、ＦＲ…枠、Ｇａ…アクティブ画像、Ｇｉ…入力画像、Ｇｐ…投写画像、Ｒ１…リーダ部、Ｒ２…メーカー識別部、Ｒ３…機器識別部、Ｒ４…データ部、Ｒ５…トレーラ部、ＲＳ…操作信号、ＳＣ…投写面。
【図１】
2009198543.tif 000003
【図２】
2009198543.tif 000004
【図３】
2009198543.tif 000005
【図４】
2009198543.tif 000006
【図５】
2009198543.tif 000007
【図６】
2009198543.tif 000008
【図７】
2009198543.tif 000009
【図８】
2009198543.tif 000010
【図９】
2009198543.tif 000011
【図１０】
2009198543.tif 000012
【図１１】
2009198543.tif 000013